(57)【要約】【課題】造形物体の動きを、活動的にする。【解決手段】玩具の運動装置がスパイダーを回転するためにモーターにより駆動可能なハブを有し、かつ、そのハブからそれに対しある角度で放射状に出ている少なくとも２本の脚部を有するスパイダーを含み、各脚部が端部のターミナルを有し、スパイダーの各回転サイクルのコース内で、その端部のターミナルが、ハブを通る水平面に対して傾斜したハブ周辺の円形軌道を旋回する。それにより、各サイクルのコース内でターミナルがハブより高いレベルまで上昇してから、ハブより下のレベルに低下し、少なくとも１個の造形物体がターミナルからぶら下がっていて、ターミナルがその軌道を旋回すると共に活動的になる。【選択図】    図１
0003101683.tif 000002
【実用新案登録請求の範囲】
【請求項１】
（ａ）玩具要素を支持するスパイダーを具備し、該スパイダーが、該スパイダーを回転するためにモーターにより駆動できるハブを有し、且つ該ハブに対して所定角度でそのハブから放射状に出ている少なくとも２本の脚部を有し、該脚部が端部のターミナルを有し、該端部のターミナルから該玩具要素の少なくとも一部がぶら下がっており、該スパイダーの各回転サイクルのコース内で該端部のターミナルの各々が、ハブを通る水平面に対して傾斜したハブ周辺の円形軌道を旋回し、それにより各サイクルのコース内でターミナルの各々がハブより高いレベルに上昇してからハブより低いレベルに低下し、ターミナルからぶら下がった玩具要素が、活動的になり、更に、
（ｂ）該玩具要素の少なくとも幾つかが、該スパイダーに移動可能に設置されており、各回転サイクルのコース内で、重力の影響の下、ハブ及び／又はスパイダーの脚のターミナルに対する位置が変更する
ことを特徴とする玩具の運動装置。
【請求項２】
物体支持部材がターミナルの各々に旋回可能に取付けられ、かつ、該玩具要素の少なくとも一部を構成する造形物体が、ターミナルの物体支持部材の異なった側からぶら下がっている請求項１の玩具の運動装置。
【請求項３】
造形物体が、重さが異なり、物体支持部材の異なった側からぶらさがっており、物体支持部材に異なった負荷を加えて、回転サイクルのコースを傾斜せしめる請求項２の玩具の運動装置。
【請求項４】
造形物体が、形状、寸法、色が異なっている請求項２の運動装置。
【請求項５】
玩具要素の幾つかが、スパイダーの脚に設置されている請求項１の玩具の運動装置。
【請求項６】
スパイダーの脚部の玩具要素が、重力の影響の下、回転サイクルのコースにおいて、ハブに近づくように及びハブから離れるように滑動するように、設置されている請求項５の玩具の運動装置。
【請求項７】
脚に滑動可能に設置された玩具要素が、環状ビーズの形状である請求項６の玩具の運動装置。
【請求項８】
脚部が湾曲形状を有し、玩具要素が、湾曲経路内で移動するようにそれ上に置されている請求項６の玩具の運動装置。
【請求項９】
玩具要素が異なった色及び形状を有する請求項１乃至８のいずれか１の玩具の運動装置。
【請求項１０】
スパイダーが回転すると共に、音楽を演奏するようになっているミユージック・ボックスと組み合わせた請求項１乃至９のいずれか１の玩具の運動装置。
【請求項１１】
遊技用音楽が回転する運動装置によって生じた活動的ディスプレーに適合させたことを特徴とする請求項１０の玩具の運動装置。
【請求項１２】
運動装置が、ポストにより囲い付きベビーベッドの上方に取付けられ、そのポストがその囲い付きベビーベッドにスパイダーのハブに結合しているモーターを取付けていて、上記ポストが囲い付きベビーベッド内に横たわる子供の上方にその運動装置を配置するように形成されているので、その子供がその運動装置の活動を観察できる請求項１乃至１１のいずれか１の玩具の運動装置。
【請求項１３】
運動装置が、ポストにより囲い付きベビーベッドの上方に取付けられ、そのポストがその第一の端部でスパイダーのハブを支持し、モーターがそのポストの第二の端部に取付けられ、かつ、ポストを通して伸びているフレキシブルな回転要素によりハブに結合している請求項１乃至１１のいずれか１の玩具の運動装置。
【請求項１４】
モーターが電池を電源とする直流モーターで、かつ、そのための電池がポストの下端の空間内に収容されることを特徴とする請求項１２または１３の玩具の運動装置。
【請求項１５】
ポストが囲み付きベビーベッドにクランプされたブラケットに取付けられたことを特徴とする請求項１２または１３の玩具の運動装置。
【請求項１６】
さらに、モーターの運転中に音楽を演奏するために、ブラケットに取付けられたミュージック・ボックスを含む請求項１４の玩具の運動装置。
【考案の詳細な説明】
【０００１】
【産業上の利用分野】
本考案は全体として玩具の運動装置、特に各種造形物体の活動的ディスプレーを幼児に示す運動装置に関する。
【０００２】
本明細書および請求項で用いる造形物体の用語は、例えば、円形、長方形、正方形等、または、動物または物体の形のような造形的形状のような形状およびパターンを示している。造形物体は多色または白黒パターンまたは任意の希望パターンで良い。
【０００３】
【従来の技術及びその課題】
種々の物体の形状とサイズの違いを認識する能力は、生得の、ないし、先天的のものではなく、取得しなければならない。これは早い年齢の時の遊びにより最も良く学習できる。子供にとって最も有効な玩具は遊ぶ者にとって教示的なだけでなく、楽しめるものである。
【０００４】
形状、色彩、サイズが異なる物体間でどのように区別するかを子供に教えるのに役立つ古典的玩具は遊ぶ者に１セットの各種造形物体とその中に穴を開けた遊技ボードを提供している。ボード内の各穴はそのセット内で唯一の部品に適合した形状になっている。それで、遊ぶ者がある穴に三角形の部品を嵌めようとするとき、彼は試行錯誤で三角形の部品を受入れるボード内のひとつの穴を発見する。この玩具を遊ぶ子供はサイズを考慮しなければならない。それゆえ、もし、ボード上の穴が直径１インチの円形開口部である場合、直径１．５インチの円形ディスクを受入れないだろう。
【０００５】
囲い付きベビーベッドないし乗り物にいる幼児は形状部品を操作できず、上記の玩具を用いて遊べない。しかしながら、この幼児は観察力を持っている。それで、形状、サイズ、色彩が異なる造形物体を集合的に表示すれば、幼児はこれらの物体間の有意な特徴を識別できる。その物体の集合が静的状態ではなく、物体が活動的で、それらを囲いの中で見ることができる場合に、このことが特に言える。
【０００６】
本考案が運動装置に関連しているので、従来技術で関心を持てるのが、Ａｌｅｘａｎｄｅｒ  Ｃａｌｄｅｒが作った芸術的運動装置である。これらは近代アートの主要博物館で見ることができる。
【０００７】
Ｃａｌｄｅｒの運動装置では、種々の形状を持つ色つきシートメタルの部品が天井から支持された骨組みからぶら下がっていて、部品は自由に旋回する。部品の配置とその相対重量は、静的状態で、骨組みがバランスして、その運動装置が抽象的彫刻作品であるように見える。しかし、運動装置が占めている空間内に自然に空気が流れることにより、バランスが崩れる。これらの流れがシートメタルの部品に衝突して、それらを揺らし、それにより運動装置が活動的になる。さらに、Ｃａｌｄｅｒは形状部品が固定位置に維持される作品を作った。これはステイビル（ｓｔａｂｉｌｅｓ）と呼ばれている。
【０００８】
本考案に基づく玩具の運動装置はＣａｌｄｅｒの運動装置のように空気流により動くものではなく、モーター駆動により三次元造形物体が複雑な動きをする。
【０００９】
他の従来技術の玩具の運動装置では、１以上の物体がアームの一端に取付けられ、そのアームは空気流により運動を生じる場所に固定されるか、または、モーターにより固定軸の回りで回転できる。
【００１０】
【課題を解決するための手段】
前述の立場から、本考案の主要目的は三次元造形物体の活動的ディスプレーを行うモーター付き玩具の運動装置を提供することである。典型的には、造形物体はお互いに形状、サイズ、重量、色彩が異なっている。
【００１１】
より具体的には、本考案の目的は、幼児用囲い付きベビーベッド、ベッドまたはベビー用乗り物等（以後、一括して囲い付きベビーベッドと言う）のような適当な位置に設置するのに適した上記の運動装置を提供することである。囲い付きベビーベッド内にいる者が造形物体の活動的ディスプレーを観察でき、それによりそれらの間の違いについて教育される。
【００１２】
本考案に基づく玩具の運動装置の有意な利点はその運動装置を見た幼児が楽しむだけでないということである。お互いに接近して、対照的な造形物体の集合を、その物体の全ての側を見られるようにその物体を運動させて幼児に見せることにより、幼児はサイズ、形状、色彩についてそれらの間の識別を行えるようになり、各部品のユニークな側面を理解するように学習する。
【００１３】
さらに、本考案の目的は、モーター駆動の運動装置に関連するミュージック・ボックスを提供することである。そのボックスは運動またはダンスをするように見える造形物体の活動的ディスプレーに伴って音楽を演奏する。
【００１４】
簡単に述べると、これらの目的は、囲い付きベビーベッドにいる幼児を楽しませるための玩具の運動装置により達成される。その運動装置は幼児が見ることができるように、典型的には囲い付きベビーベッドの上方に支持される。運動装置にはハブを有するモーター駆動のスパイダーと、それに対してある角度で、それから放射状に出ていて、それによりスパイダーが回転するように少なくとも２本の脚部が設けられていて、各脚部の端部にあるターミナルがハブを通る水平面に対して傾斜した円形軌道を旋回する。
【００１５】
各ターミナルに物体支持部材の頂点が旋回可能に取付けられ、その部材の両側から形状、サイズ、重量、色彩が異なる２個の造形部品がぶら下がり、その部品が物体支持部材を不安定にする。その物体支持部品は典型的には円錐キャップの形をしているが、必要条件ではない。スパイダーが回転すると、物体支持部材とそれから吊り下げられた部品が傾斜した軌道を移動する。スパイダーの各回転サイクルの間に、そのコース内で、部品の荷重が異なることにより、その物体支持部材から吊り下げられた物体に作用する重力の影響で、物体支持部材がそれらを多少とも傾けたり跳ね上げたりして新しい位置に移す。
【００１６】
運動中に部品がダンスをするように見える多様な造形物体の活動的ディスプレーを幼児に見せる運動装置のパーフォマンスに、そのダンスに適当な音楽を伴わせる。
【００１７】
本考案を理解するために、また、実際の実施方法を見せるために、ここで、添付図面を参照しながら、いくつかの実施例を示すが、非限定的な例示用に過ぎない。
【００１８】
【実施例】
ここで、図１−９を参照すると、本考案に基づく玩具の運動装置Ｍがこれらの図面の中で示されている。この運動装置は幼児を収容するための囲い付きベビーベッド１０の上方に支持されている。その運動装置は幼児に見えるように置かれている。
【００１９】
運動装置Ｍは囲い付きベビーベッドのサイド・レール１３にクランプされたブラケット１２から上方に伸びる垂直ポスト１１により支持されている。運動装置１２に関連してミュージック・ボックス１４があり、その中にその運動装置が生じる活動的ディスプレーに適当な性格の１以上の楽曲、または、他の快適な音楽が記憶されている。ミュージック・ボックスにはセレクター・スイッチまたは押しボタンが設けられ、運動装置が回転したときにダンスをしているように見える運動装置の造形物体のディスプレーに伴って再生すべき楽曲を選択する。
【００２０】
運動装置とミュージック・ボックスの組合わせは、幼児のための娯楽センターになり、基本的に同じショーを繰り返さず、演奏する音楽を変えるたびに、運動装置の三次元造形物体が異なる調子でダンスをするように見える。成長すると共に、幼児は以前に示されていた単純な繰り返しをする娯楽に興味を示さなくなる。
【００２１】
ポスト１１上に支持された運動装置Ｍにはスパイダーが設けられ、スパイダーのハブＨが球状ケーシング１５内に封入された電池電源の直流モーターに運動可能に結合されている。このケーシングはポスト１１の上端の屈曲部に固定されている。モーターの電池はミュージック・ボックス１４内の電池室に収容できる。３本の湾曲に曲がった脚部Ｌ１、Ｌ２、Ｌ３はハブＨから放射状に出て、そのハブに対してある角度になっている。代替例によると、モーターはミュージック・ボックスのハウジング内に収容され、中空に作られたポストを通って伸びているフレキブル・ロッドを介して運動が伝達される。
【００２２】
各脚部はその自由端にあるターミナルＴで終わる。ターミナルＴは円錐キャップの形の物体支持部材の頂点と旋回可能に結合しているので、各キャップはターミナルから任意の方向に自由に揺動する。ここでは物体支持部材をキャップとも言う。アームＬ１のターミナルＴは円錐キャップ１６に結合される。アームＬ２のターミナルＴは円錐キャップ１７に結合される。アームＬ３のターミナルＴは円錐キャップ１８に結合される。
【００２３】
これらのキャップ１６、１７、１８のそれぞれから、キャップの両側でキャップ上で正反対になる点にワイヤによって接続することによりサイズ、形状、重量および色彩がお互いに異なる三次元造形物体を吊り下げる。それゆえ、キャップ１６から吊り下げるのは部品１９および２０であり、部品１９は小さなボールであり、部品２０は３面の三角形の側面を持つ大きな角錐である。キャップ１７から比較的大きな立方体２１と小さなボール２２が吊り下げられる。キャップ１８からは大きなボール２３と小さなボール２４が吊り下げられる。しかしながら、これらは単なる例であり、物体は他の任意の形状で良く、例えば、動物または他の物体の形状に形成できる。
【００２４】
キャップから吊り下げる大きな方の部品は小さな方の部品よりいくぶん重い（明らかにサイズと重量は相関性を持つ必要がない）。ここで、その２個の三次元造形物体は対称な形状の各円錐キャップの両側に吊り下げられて、これらの部品がなければキャップの頂点を通る垂直軸に対してバランスするはずのキャップをアンバランスにする。
【００２５】
運動装置に含まれる全ての部品はポリプロピレンまたはポリエチレンのような合成樹脂材料からの成型品で、鋭いエッジが無いことが望ましい。実際には、運動装置のいくつかの、または、全ての部品に柔らかい繊維材料の保護カバーを付けられる。
【００２６】
スパイダーが回転するとき、ハブＨから放射状に出ている脚部Ｌ１、Ｌ２、Ｌ３がハブに対してある角度になっているので、脚部の自由端にある各ターミナルＴがハブＨ周辺の円形軌道を旋回する。この軌道はハブを通る水平面に対して傾斜している。
【００２７】
ここで、スパイダーの各回転サイクルのコース内で、スパイダーの脚部のターミナルＴに旋回可能に取付けられた各キャップおよびそれから垂れ下がった２個の造形部品が水平面に対して傾斜した円形経路を移動する。この移動のコース内で、そのキャップは２個の部品により異なる荷重を加えられて、ハブＨより高いレベルに上昇してから、ハブＨより低いレベルに低下する。この運動を生じると共に、キャップからつり下がった２個の物体により生じたキャップの傾斜も変化する。
【００２８】
それゆえ、図２はキャップ１６とそれから吊り下げられた部品１９および２０を示すが、そのキャップ１６はハブＨより高い位置にあり、鋭く傾斜している。図８はハブＨより低いレベルになっていて、かつ、水平面に対してあまり傾斜していない同じキャップ１６を示している。
【００２９】
種々の色彩を持つ環状ビーズＢが、湾曲した脚部Ｌ１、Ｌ２、Ｌ３のそれぞれに取付けられ、その上でスライド可能になっている。しかしながら、ビーズは他の任意の形でも良い。スパイダーの脚部が回転サイクルのコース内でスパイダーのハブに対して上向きの角度になったとき、この脚部のビーズＢは重力の結果としてハブに向かって湾曲した経路に沿って滑り落ちる。しかし、脚部がハブに対して下向きの角度になったとき、ビーズはハブから滑り落ちる。そこで、運動装置が回転すると共に、幼児はビーズＢがスパイダーの脚部を上昇・降下するのを見る。
【００３０】
三次元物体が円錐キャップから吊り下げられ、異なる荷重を加え、これらのキャップがスパイダーが回転すると共に上下するのと同時に、キャップが多少とも傾斜ないし跳ね上がりをするので、ビーズが脚部を滑って上下する。その全体的効果は、回転遊具上の造形物体が音楽演奏と共にダンスをするように見える活動的表現である。
【００３１】
本考案の実施例によれば、モーターの速度を制御可能にして、運動装置の回転を低速、中速、高速と切替えることができる。同様に、ミュージック・ボックスはビートが低速、中速、高速である音楽を選択的に再生するように設計しうる。この方法で、演奏する音楽が運動装置の回転速度に適合したものになり、活動的ディスプレーをしている造形物体の変位と効果的に同期化できる。
【００３２】
運動装置が囲い付きベビーベッドへの取付状態で示されているけれども、ベビー用乗り物にサイド・アームを有するクロス・バーを付けて、その乗り物のサイドにクランプすることによりベビー用乗り物に取付けられる。または、ベビーサークルまたは遊技領域の他の場所に設置しうる。また、本考案に基づく運動装置の好ましい実施例が示されているけれども、本考案の精神から逸脱せずにその中に多くの変更を行えること理解すべきである。
【図面の簡単な説明】
【図１】その囲い付きベビーベッドにいる幼児が見ることができ、本考案に基づく玩具の運動装置をその中に取付けた囲い付きベビーベッドを示している。
【図２】回転開始時での玩具の運動装置の前面図である。
【図３】図２に示す運動装置の下面図であり、この図面は運動装置のスパイダーの３個の脚部の位置と回転開始状態を示している。
【図４】現在、スパイダーが反時計方向に回転している運動装置の前面図である。
【図５】図４に示すスパイダーの下面図である。
【図６】回転サイクルの途中でスパイダーに想定される位置を示す運動装置の前面図である。
【図７】図６に示す運動装置の下面図である。
【図８】回転サイクル内で後の段階の運動装置の前面図である。
【図９】図８に示す運動装置の下面図である。
【符号の説明】
１０  ベビーベッド
１１  垂直ポスト
１２  ブラケット
１３  サイド・レール
１９  部品
【図１】
0003101683.tif 000003
【図２】
0003101683.tif 000004
【図３】
0003101683.tif 000005
【図４】
0003101683.tif 000006
【図５】
0003101683.tif 000007
【図６】
0003101683.tif 000008
【図７】
0003101683.tif 000009
【図８】
0003101683.tif 000010
【図９】
0003101683.tif 000011